(57)【特許請求の範囲】
【請求項１】
画像を表示する表示領域と、該表示領域を外囲する非表示部とを有し、互いに隣接して設けられる複数の表示パネルと、
前記非表示部に設けられ、前記表示領域からの出射光を反射する反射面を有する反射部材であって、前記反射面に外方に凸に湾曲した湾曲部分が設けられる反射部材とを含み、
前記反射部材は、前記非表示部から突出し、かつ頂部を挟んで隣接する２つの斜面を有する三角柱状の長尺材から成り、各斜面に前記反射面が形成される反射部を有し、
各反射面は、前記頂部、平坦面、および前記湾曲部分が、この順に連なって形成されていることを特徴とするマルチディスプレイ装置。
【請求項２】
前記反射部材は、前記反射部に連なり、前記各表示パネルの互いに隣接する各非表示部によって挟持される挟持部をさらに有することを特徴とする請求項１に記載のマルチディスプレイ装置。
【発明の詳細な説明】
【技術分野】
【０００１】
本発明は、複数の表示パネルを隣接して配置し、１つの大画面を構成するマルチディスプレイ装置に関する。
【背景技術】
【０００２】
近年、インフォメーションディスプレイおよび業務用ディスプレイとして、たとえば４台あるいは９台の表示パネルを縦横に隣接して配置し、１つの大きな画面を構成し、１台のパーソナルコンピュータから、ＤＶＩ(Digital Visual Interface)やアナログＲＧＢ（Red Green Blue）映像信号、ＨＤＭＩ(High-Definition Multimedia Interface)などのインターフェイスを経由して接続された各表示パネルへ、１つの画像を分割した画面信号を送ることによって、各表示パネルに画像が個別に表示され、画面全体として一連の画像を表示することができるように構成されている。
【０００３】
このようなマルチディスプレイ装置は、複数の表示パネルによっていわゆるマルチ画面とも称される大形の画面を容易に構築することができるが、各表示パネルの額縁上には画像を表示することができないため、隣接する各表示パネル間の目地または継目などに対応する領域に、表示画面上に線が格子状に入ったように見え、表示品位が低下してしまうという問題がある。
【０００４】
このような問題を解決するための従来技術は、たとえば特許文献１に提案されている。特許文献１に記載される従来技術では、１つの画像を４画面を使用して大きく映し出しているときに、画像を格子状に区切って目障りとなるという問題を解決するために、互いに独立な駆動系を介して映像信号によって駆動される画像表示する複数の画像表示器の表示画面を２次元的に配列して大形画面を形成した多画面表示装置において、表示画面の隣接するもの同士の境界領域に補助表示器を配列したマルチディスプレイ装置が提案されている。
【０００５】
この従来技術では、額縁に設けた補助表示装置に発光ダイオードを用い、非表示領域を挟む画面近傍の平均輝度によって駆動するように構成されている。しかしながら、額縁上で液晶カラー表示素子、発光ダイオード、エレクトロルミネセンスなどの電子部品を制御するため、製造コストが高額となり、かつ消費電力が大きくなるという課題がある。
【０００６】
また、前述のような電子部品を用いず光学的に解決する従来技術は、たとえば特許文献２，３に開示されている。これらの従来技術には、画面上に配置した凸レンズおよび凹レンズを用いて、画面表示光を屈折させ、額縁上まで拡張して表示する構成が提案されている。特許文献２に記載される従来技術では、複数のプラズマディスプレイパネル（Plasma
Display Panel、略称ＰＤＰ）を縦横に並べて、各ＰＤＰの表示画面を繋ぎ合わせて１つの大画面として表示するために、各ＰＤＰの前面には、凸レンズ群の行列からなる第１のマルチレンズおよび第２のマルチレンズを配置して、ＰＤＰの表示画面に表示する表示画像の正立像を形成し、第２のマルチレンズの前面には、さらに、凹レンズを配置して、上記の正立像をＰＤＰ等の前面に配置した透過型スクリーン上に拡大して投影し、複数のＰＤＰに表示した画像を連続した１つの画像として表示することができるマルチディスプレイ装置が提案されている。
【０００７】
また特許文献３に記載される従来技術では、画像が投射されるスクリーンが前面に装着されるスクリーンブロックを多段に積み上げて大形の画面を形成してなるマルチ投射型スクリーンにおいて、マルチ画面で生じる目地を目立たなくするため、前記画像が投射される各平行平板スクリーンブロックの光出射側に周辺が凸レンズ構造で中央部が平板であるレンズ状透明スクリーンを装着したマルチディスプレイ装置が提案されている。
【０００８】
しかしながら、これらの特許文献２，３の各従来技術を実施するためには、画面を覆う大きさの凹レンズや、画面と同サイズのアクリル板の側端部をレンズ状に加工する必要があり、大形のディスプレイ装置になるほど高額な部品が必要となる上、表示画面とレンズとの間に熱が蓄積するという問題がある。
【０００９】
さらに他の従来技術として、たとえば特許文献４〜６には、光ファイバの束を用いて、画面表示を額縁上に偏移させ、非表示部としての額縁を見えなくすることが提案されている。特許文献４に記載される従来技術では、ディスプレイの外周に非表示部（目地）を有するマルチディスプレイ装置において、前記ディスプレイの発光面上に光軸が傾斜した光ファイバプレートを備えたマルチディスプレイ装置が提案されている。
【００１０】
また特許文献５に記載される従来技術では、表示部とこの表示部を囲む額縁とを備えた平板状の表示ユニットの前面に、偏位手段を設け、この偏位手段によって表示ユニットに表示される分割画面を２次元方向に偏位させて分割画面を一体化させることによって、額縁による境界線のない大画面を形成することができるマルチディスプレイ装置が提案されている。
【００１１】
さらに特許文献６に記載される従来技術では、複数の投影機と並列して投影部を設け、これと同様の導光体を投影機と同様に並べてスクリーン部を構成し、導光体の画像光入力端面に、対応する投影機から画像光を投影可能とし、該導光体の反対側の端面である画像光出力端面を、前記画像表示面よりも中心側に偏倚させて、画面内に額縁が生じることのない統一画像表示面を形成するマルチディスプレイ装置が提案されている。この従来技術の導光体は、光ファイバを束ねてなり、画像光入力端面から画像光出力端面の間で光路が、統一画像表示面の中心側寄りに設けられる。
【００１２】
これらの特許文献４〜６に記載される各従来技術では、該従来技術に係るマルチディスプレイ装置を実現するために、画素数に相当する本数の光ファイバの束が必要となり、製造コストが高額になってしまうという問題がある。
【先行技術文献】
【特許文献】
【００１３】
【特許文献１】特開平３−３８９８２号公報
【特許文献２】特開平１０−２２２０９５号公報
【特許文献３】特開２０００−１８０９６４号公報
【特許文献４】特開平９−３７１９４号公報
【特許文献５】特開平１０−３９７８０号公報
【特許文献６】特開２００４−１７７６３２号公報
【発明の概要】
【発明が解決しようとする課題】
【００１４】
本発明の目的は、簡単な構成でかつ安価な製造コストで、熱の蓄積を生じず、額縁などの非表示部に起因する表示品位の低下を防止することができるマルチディスプレイ装置を提供することである。
【課題を解決するための手段】
【００１５】
第１の本発明に係るマルチディスプレイ装置は、画像を表示する表示領域と、該表示領域を外囲する非表示部とを有し、互いに隣接して設けられる複数の表示パネルと、
前記非表示部に設けられ、前記表示領域からの出射光を反射する反射面を有する反射部材であって、前記反射面に外方に凸に湾曲した湾曲部分が設けられる反射部材とを含み、
前記反射部材は、前記非表示部から突出し、かつ頂部を挟んで隣接する２つの斜面を有する三角柱状の長尺材から成り、各斜面に前記反射面が形成される反射部を有し、
各反射面は、前記頂部、平坦面、および前記湾曲部分が、この順に連なって形成されていることを特徴とするマルチディスプレイ装置である。
【００１７】
さらに、本発明のマルチディスプレイ装置において、前記反射部材は、前記反射部に連なり、前記各表示パネルの互いに隣接する各非表示部によって挟持される挟持部をさらに有することを特徴とする。
【発明の効果】
【００２５】
第１の本発明に係るマルチディスプレイ装置によれば、平面状に並んで配置される複数の表示パネルの各非表示部に、表示領域からの出射光を反射する反射面を有する反射部材が設けられるので、各表示パネルを組立ててマルチスクリーンを構築した状態での表示画面に、非表示部が線状に露呈することを防止し、表示品位を向上することができる。しかも、反射面が湾曲部分を含むから、この湾曲部分によって、平面状の反射面に比べて非表示部により近い部位の表示領域からの出射光を反射させることができる。したがって、表示領域からの出射光による画像と、反射面からの反射光による画像との違和感をより少なくすることができる。さらに、隣接する表示領域からの出射光による画像の連続的視認性も改良される。また、反射部材は反射面を有する機械的部品によって実現され、前記従来技術のような電子部品あるいは光ファイバなどの光学部品を用いないため、安価な製造コストで非表示部が露呈しない低消費電力で、かつ蓄熱も伴わないマルチディスプレイ装置を実現することができる。
【００２６】
また、反射部材は断面形状が山形の柱状部材の各非表示部から突出する２つの斜面に反射面が形成されるので、各非表示部の両側の表示領域からの出射光を各反射面によってそれぞれ反射して、各非表示部が線状に露見されること防止し、各非表示部を介して隣接する各表示領域の表示画像を、外見上、実質的に連続した画像として視認することができる。しかも、各反射面は、頂部、平坦面、および湾曲部分が、この順に連なって形成されているので、湾曲部分が表示領域により近く位置することになる。これによって、表示領域からの画像と反射面からの画像との違和感をより少なくすることができるとともに、隣接する各表示領域における表示画像の連続視認性がより向上する。
【００２７】
さらに本発明によれば、前記反射部材は、前記反射部に連なり、前記各表示パネルの互いに隣接する各側部によって挟持される挟持部をさらに有するので、反射部材を各表示パネルの各非表示部に正確に位置決めされた状態で容易かつ確実に設けることができる。
【図面の簡単な説明】
【００３５】
【図１】第１の本発明に係るマルチディスプレイ装置１の一実施形態を示す断面図である。
【図２】図１のマルチディスプレイ装置１の一部分を簡素化して示す斜視図である。
【図３】図２の切断面線ＩＩＩ−ＩＩＩから見た断面図である。
【図４】本実施形態における反射部材８を示す一部の拡大斜視図である。
【図５】反射部材８が隣接する２つの額縁５に設置された状態を示す一部の斜視図である。
【図６】反射部材８ａがマルチディスプレイ装置１の外側の額縁５に設置された状態を示す一部の斜視図である。
【図７】液晶パネル２からの出射光の反射パターンを示す図であり、図７（１）は本実施形態の反射部材８による反射パターンを示す図であり、図７（２）は比較例として反射部材の反射面が平面である場合の反射パターンを示す図である。
【図８】マルチディスプレイ装置１の表示状態を示す正面図であり、図８（１）は額縁５に反射部材８が設けられていないときの画面の表示状態を示し、図８（２）は額縁５に反射部材８を設けたときの画面の表示状態を示す図である。
【図９】本発明の他の実施形態の反射部材８ｂを具備するマルチディスプレイ装置１ａを示す一部の断面図である。
【図１０】本発明のさらに他の実施形態の反射部材８ｃを具備するマルチディスプレイ装置１ｂを示す一部の断面図である。
【図１１】本発明のさらに他の実施形態の反射部材８ｄを具備するマルチディスプレイ装置１ｃを示す一部の断面図である。
【図１２】本発明のマルチディスプレイ装置１の全体斜視図と、同マルチディスプレイ装置１における反射部材８の交差部Ａの一部を拡大して示す斜視図である。
【図１３】図１２の交差部Ａの拡大平面図である。
【図１４】図１３に示す反射部材８の交差部Ａ側に配置される端部８１の構造を示す図であり、図１４（１）は反射部材８の端部８１の平面図であり、図１４（２）は反射部材８の端部８１の側面図であり、図１４（３）は反射部材８の端部８１を図１４（２）の右側から見た正面図である。
【図１５】第２の本発明に係るマルチディスプレイ装置１００の一実施形態における反射部材５０が隣接する２つの額縁５に設置された状態を示す一部の斜視図である。
【図１６】図１５に示す反射部材５０における反射面５１および非反射面５２の額縁５に対する傾斜角度を示す断面図である。
【図１７】本実施形態のマルチディスプレイ装置１００の表示状態を示す正面図の一部であり、図１７（１）は額縁５に反射部材５０が設けられているときの画面の表示状態を示し、図１７（２）は比較例として額縁５に３つの角が全て鋭角の三角柱状の反射部材５００を設けたときの画面の表示状態を示す図である。
【図１８】本実施形態の第１の変形例の反射部材５０ａを示す一部の拡大斜視図である。
【図１９】本実施形態の第２の変形例の反射部材５０ｂを示す一部の拡大斜視図である。
【図２０】第２の変形例の反射部材５０ｂを用いたマルチディスプレイ装置１００ａを模式的に示す全体の斜視図と、各部位における反射部材５０ｂの設置態様を側面から見て模式的に示す図である。
【００３６】
【図２１】第３の本発明に係るマルチディスプレイ装置２００の一実施形態における反射部材６０が隣接する２つの額縁５に設置された状態を示す一部の斜視図である。
【図２２】図２１に示す反射部材６０による液晶パネル２からの出射光の反射パターンを示す図である。
【発明を実施するための形態】
【００３７】
図１は第１の本発明に係るマルチディスプレイ装置１を示す断面図であり、図２は図１に示すマルチディスプレイ装置１の簡素化した斜視図であり、図３は図２の切断面線ＩＩＩ−ＩＩＩから見た断面図であり、図４は反射部材８を示す一部の拡大斜視図である。なお、図２および図３は、理解を容易にするため、簡略化して示されている。
【００３８】
本実施形態において、マルチディスプレイ装置１は、平面的に縦横に並んで配置される表示パネルとしての複数の液晶パネル２と、各液晶パネル２が装着されるシャーシ３と、筐体４と、各液晶パネル２に表示面側（図１の上方）から装着され、各液晶パネル２を各シャーシ３に保持する非表示部である額縁５と、各液晶パネル２の互いに隣接する各額縁５に設けられ、各額縁５よりも面内側の表示領域の出射光を反射する反射面６，７を有する反射部材８と、光学シート９と、拡散板１０とを含んで構成される。
【００３９】
本実施形態において、マルチディスプレイ装置１は、テレビジョン受像機またはパーソナルコンピュータなどにおいて、画像情報を出力することによって、画像を表示画面に表示する表示装置によって実現される。各液晶パネル２は、平板状の形状に形成される。液晶パネル２において、厚み方向Ｚの２つの向きを前面側Ｚ１および背面側Ｚ２とする。
【００４０】
液晶パネル２は、液晶表示素子によって、背後側からのバックライト１１の光によって画像を前面２ａ側に表示することができる。シャーシ３は、液晶パネル２の固定に用いられる基台であり、液晶パネル２よりも背面２ｂ側に配置される。
【００４１】
前記筐体４は、液晶パネル２の固定を補助する複数の部材から成り、分割可能に構成されることが好ましい。筐体４は、枠体１２を含んで構成される。枠体１２は、乗載部分１３と、接触部分１４とを有する。乗載部分１３は、液晶パネル２を厚み方向Ｚに見たときの液晶パネル２の外周部の少なくとも一部に、背面２ｂ側から対向する。接触部分１４は、外周部に対して液晶パネル２の面方向外方から接触する。額縁５は、液晶パネル２の外周部に前面２ａ側から対向し、筐体４とともに外周部を挟持する。これによって、液晶パネル２は、額縁５に対して前面２ａ側への相対的な変位が阻止される。
【００４２】
マルチディスプレイ装置１において、液晶パネル２の周囲を面方向外方から囲繞する額縁５は、いわゆる狭額縁化されている。たとえば、マルチディスプレイシステムに用いる場合には、複数のマルチディスプレイ装置１を一方向に沿って、またはマトリクス状に配置する。このとき、互いに隣接するマルチディスプレイ装置１の境目に当たる部分、すなわち額縁５は画像が表示されない非表示部となる。
【００４３】
各液晶パネル２に表示される各画像は、本来、面方向に連続する画像であるが、額縁５のＺ方向から見た図１において左右方向の幅が大きいと、非表示部の幅が大きくなってしまう。マルチディスプレイシステムに用いるようなマルチディスプレイ装置１では、非表示部の幅をなるべく小さくするために、額縁５の幅を小さくする狭額縁化が求められる。本実施形態において、マルチディスプレイ装置１は、各液晶パネル２の対角線方向に長さが６０インチで、縦横比率が９対１６の狭額縁化された液晶表示装置である。
【００４４】
前記バックライト１１は、液晶パネル２よりも背面側Ｚ２に配置される複数の光源を含んで構成される。バックライト１１は、シャーシ３に取付けられ、光源から出射された光は、拡散板１０、光学シート９を通過し、さらに液晶パネル２を介してマルチディスプレイ装置１よりも前面側Ｚ１に放射され、画像表示を行う表示光として使用される。光源としては、たとえば冷陰極線管などの蛍光管、ＬＥＤ（Light Emitting Diode）などの各種発光部品を用いることができる。
【００４５】
マルチディスプレイ装置１を、正面から背面側Ｚ２に見て、額縁５および液晶パネル２は長方形に形成される。この長方形は、マルチディスプレイ装置１が映像を表示するときの使用時の設置状態において、縦長に配置されても横長に配置されてもよいが、本実施形態では横長に配置される。
【００４６】
前記額縁５は、厚み方向Ｚに垂直な平板状部分１５と、平板状部分１５に直角に連なり、液晶パネル２をその面方向外方から囲繞する外周部１６とを含む。平板状部分１５は、枠体１２の前記乗載部分１３とともに液晶パネル２の外周部分を挟持する。
【００４７】
液晶パネル２は、図示を省略する２枚の基板を含み、厚み方向Ｚに見て長方形の板状に形成される。液晶パネル２は、ＴＦＴ（Thin Film Transistor）等のスイッチング素子を含み、２枚の基板の隙間には液晶が注入されている。液晶パネル２は、背面側Ｚ２のバックライト１１からの光が照射されることによって、表示機能を発揮する透過型液晶表示装置である。前記２枚の基板には、液晶パネル２における各画素の駆動制御用のドライバ（ソースドライバ）および配線が設けられている。
【００４８】
筐体４は、液晶パネル２よりも背面側Ｚ２、かつシャーシ３よりも前面側Ｚ１に配置され、シャーシ３に取付けられる。筐体４には、光学シート９、拡散板１０、バックライト１１および反射シート１８が配置される。バックライト１１の光源は、たとえば、複数本の蛍光管を含み、各蛍光管は、図示しないランプホルダによってシャーシ３に取付けられる。蛍光管よりも前面側Ｚ１には、拡散板１０が配置され、拡散板１０よりも前面側Ｚ１には前記光学シート９が配置される。拡散板１０および光学シート９は、液晶パネル２に平行に配置される。
【００４９】
拡散板１０は、蛍光管から発せられた光を、面方向に拡散することによって、輝度が局所的に偏ることを防止する。光学シート９は、複数の光学シートで構成され、本実施形態では、２枚の光学シート９ａおよび光学シート９ｂによって構成され、たとえばカラーフィルタから成る。
【００５０】
拡散板１０では、輝度が面方向に偏ることを防ぐために、光の進行方向は、ベクトル成分として、面方向の成分を多く含む。これに対し光学シート９は、面方向のベクトル成分を多く含む光の進行方向を、厚み方向Ｚの成分を多く含む光の進行方向に変換する。具体的には、光学シート９は、レンズまたはプリズム状に形成される部分が面方向に多数並んで形成され、これによって、厚み方向Ｚに進行する光の拡散度を小さくする。したがって、マルチディスプレイ装置１による表示において、輝度を上昇させることができる。
【００５１】
シャーシ３は、厚み方向Ｚに垂直な平板状の底部１９と、底部１９に連なり底部１９から立ち上がる側壁部２０と、側壁部２０のうち底部１９が連なる部分とは反対側の部分に連なり、底部１９と平行に広がる平板状のフランジ部２１とを含んで形成される。底部１９は、厚み方向Ｚに見て長方形に形成される。
【００５２】
反射シート１８は、前記シャーシ３における底部１９の前面側Ｚ１の表面の少なくとも一部と、前記フランジ部２１とに接触して配置される。反射シート１８は、前記側壁部２０に対しては接触して配置されてもよく、また接触せず配置されてもよい。反射シート１８の少なくとも前面側Ｚ１に臨む表面は、バックライト１１からの光に対して高い反射率、理想的には１００％の反射率を有する。
【００５３】
枠体１２は、光学シート９および拡散板１０の各外周部が乗載される段差部１７と、段差部１７から背面側Ｚ２に連なり、シャーシ３の側壁部２０を内周面側から覆い、シャーシ３に対してビスなどによって連結される第２周壁部２２と、段差部１７の外周部から前面側Ｚ１に連なって立ち上がる第１周壁部２３とを含む。
【００５４】
第１周壁部２３の前面側Ｚ１の領域には、前面側Ｚ１に臨み、液晶パネル２の外周部に対向する前記乗載部分１３と、乗載部分１３よりも面方向外方において前面側Ｚ１に突出し、液晶パネル２に面方向外方から接触する接触部分１４とが形成される。この乗載部分１３は、液晶パネル２の外周部を額縁５の平板状部分１５とともに挟持する部分である。したがって、乗載部分１３は、液晶パネル２の外周部に確実に対向する必要があり、また乗載部分１３は、面方向の幅を狭く設定するほど、狭額縁化の実現を容易にすることができる。
【００５５】
液晶パネル２の各辺を成す外周部を支持する乗載部分１３について、厚み方向Ｚおよび各辺の延びる方向に垂直な方向における乗載部分１３の寸法を、「幅寸法ｂ１」と称する。マルチディスプレイ装置１の一例として、たとえば各液晶パネル２が６０インチのマルチディスプレイ装置１の場合、液晶パネル２のうち画像の表示領域は、およそ長辺方向Ｘの寸法が１３３ｃｍで、短辺方向Ｙの寸法がおよそ７５ｃｍである。この場合、乗載部分１３の幅寸法ｂ１は、３ｍｍ程度に設定される。
【００５６】
枠体１２において、第２周壁部２２は、液晶パネル２の厚み方向Ｚに平行に形成され、段差部１７のうち、液晶パネル２に関する面方向内方の端部に連なり、背面側Ｚ２に延びて形成される。
【００５７】
第１周壁部２３は、液晶パネル２の厚み方向Ｚに平行に形成され、段差部１７のうち、液晶パネル２に関する面方向外方の端部に連なり、前面側Ｚ１に延びて形成される。第１周壁部２３の前面側Ｚ１には、前面側Ｚ１に臨み、液晶パネル２の外周部に対向する乗載部分１３と、乗載部分１３よりも面方向外方において前面側Ｚ１に突出し、液晶パネル２の外縁部に面方向外方から接触する接触部分１４とが形成される。枠体１２の乗載部分１３は、液晶パネル２の外周部を額縁５の平板状部分１５と協働して挟持する部分である。したがって、乗載部分１３は、液晶パネル２の外周部に確実に対向させて安定に支持し、狭額縁化を図ることができる幅寸法ｂ１に選ばれる。
【００５８】
液晶パネル２の厚み方向Ｚにおいて、接触部分１４の幅寸法（深さあるいは高さ寸法）ｂ２は、液晶パネル２の厚み寸法Ｔに対してほぼ同一でかつわずかに小さく設定される。これによって、額縁５の平板状部分１５が液晶パネル２の外周部に接触し、乗載部分１３とともに液晶パネル２を挟持するときに、液晶パネル２が厚み方向Ｚにがたつくことを防止することができる。
【００５９】
前記反射部材８は、たとえばアクリル樹脂製の断面形状が山形の柱状部材から成り、各額縁５に沿って延び、かつ頂部を挟んで隣接する２つの斜面に反射面６，７が形成される山形柱状の反射部２４と、反射部２４に連なり、各液晶パネル２の互いに隣接する額縁５の外周部１６によって各液晶パネル２の互いに隣接する各側部によって挟持される挟持部２５とを有する。すなわち、挟持部２５は各液晶パネル２の互いに隣接する各側部によって、間接的に挟持される。各反射面６，７は、三角柱状の反射部２４の裾部、すなわち額縁５側に位置する湾曲部分６ａ，７ａと、この湾曲部分６ａ，７ａより連なり反射部２４の頂部側に連なる平坦面６ｂ，７ｂとによって、断面が三角柱状に形成される。各反射面６，７は、アルミニウム合金等の金属薄膜を前記反射部２４の２つの斜面に対して、たとえば蒸着によって形成し、この金属薄膜を白鏡面仕上げ、鏡面加工、メッキ処理などの各種の処理を行うことによって鏡面に加工されて形成される。
【００６０】
反射部２４と挟持部２５とは、図１〜図３に示すように一体の成型体から成るものでもよく、あるいは、図４に示すように反射部２４の底面から頂部に向って凹状に、かつ反射部２４の長手方向に沿って形成された溝３０に、挟持部２５を嵌め込むことによって接続されるものであってもよい。反射部２４は、断面形状が山形であり、各額縁５の各液晶パネル２の一辺を成す部分に全長にわたって延びる棒状体から成る。挟持部２５は、断面がＬ字状の長尺材であり、反射部２４の長さ全長にわたって延びていてもよく、また反射部２４の長さの全長より短い部材が複数接続されていてもよい。挟持部２５は、反射部２４と同様にアクリル樹脂から成ってもよく、あるいはポリ塩化ビニル、アルミニウム合金など、その他の素材から成ってもよい。
【００６１】
このように挟持部２５の断面がＬ字状に形成されることによって、挟持部２５を両側から額縁５によって挟持しかつ片側の枠体１２およびシャーシ３によって背面側Ｚ２から係止して抜止めし、反射部材８を各額縁５上に確実に位置決めして保持することができる。また挟持部２５は、他の実施形態では、断面が逆Ｔ字状に形成されてもよい。挟持部２５の断面が逆Ｔ字状に形成されることによって、挟持部２５を両側から額縁５によって挟持しかつ抜止めして、反射部材８を各額縁５上に確実に位置決めされた状態で抜止めし、安定に保持することができる。また挟持部２５は、他の実施形態では、断面がＩ字状に形成されてもよい。挟持部２５の断面がＩ字状に形成されることによって、マルチディスプレイを設置した後から、各液晶パネル２の互いに隣接する額縁５の各側部の間に挿入し、取付けることができる。
【００６２】
このような反射部材８によって、各液晶パネル２を組立ててマルチディスプレイ装置１を構築した状態での表示画面に、非表示部である各額縁５が線状に露呈することを防止し、表示品位を向上することができる。また、反射部材８は、反射面６，７を有する機械的部品によって実現され、前記従来技術のような電子部品あるいは光ファイバなどの光学部品を用いないため、安価な製造コストで非表示部が露呈しない消費電力の少ないマルチディスプレイ装置１を実現することができる。
【００６３】
また、反射部材８は、隣接する各額縁５に沿って延びる２つの表面に反射面６，７が形成される断面形状が山形の柱状部材から成るので、各額縁５の両側の表示画面の表示光を各反射面によってそれぞれ反射し、各額縁５を介して隣接する各表示画面の表示を、外見上、実質的に連続した一連の画像として視認することができ、各額縁５が線状に露見されること防止することができる。したがって、マルチディスプレイ装置１を正面から見ると、上下、左右のそれぞれに額縁５の近辺の画像が反射面６，７によって反射され、その反射像が目に入るために、額縁線を目立たなくすることができる。特に、本実施形態では、反射部材８の反射部２４の断面が山形の柱状に形成され、額縁５の線を隠蔽して目立たなくすることができる。
【００６４】
さらに、反射部材８は、隣接する各額縁５に沿って延びる２つの表面に反射面６，７が形成される山形柱状の反射部２４と、反射部２４に連なり、各液晶パネル２の互いに隣接する各側部によって挟持される挟持部２５とを有するので、反射部材８を各液晶パネル２の各額縁５に正確に位置決めされた状態で容易かつ確実に設けることができる。
【００６５】
前述の実施形態の反射部材８は、非表示部として額縁５を隠蔽する幅を有する構成について述べたが、本発明の他の実施形態では、額縁５を隠蔽しかつ額縁５よりも内側の液晶パネル２の有効表示領域の外縁まで覆う幅に形成されてもよい。
【００６６】
図５は反射部材８が隣接する２つの額縁５に設置された状態を示す一部の斜視図であり、図６は反射部材８がマルチディスプレイ装置１の周縁部の額縁５に設置された状態を示す一部の斜視図である。前述のマルチディスプレイ装置１において、前記反射部材８は、図５に示すように、同一面上で隣接する２つの液晶パネル２の額縁５に設置されるとともに、マルチディスプレイ装置１の周縁部、すなわち面方向外方に配置される額縁５には、図６に示すように、表示画面に臨む斜辺に対応する片側の表面だけに反射面６を有する断面が半山形形状の反射部材８ａが、たとえば両面粘着テープ３１によって接着されて設けられる。各反射部材８，８ａの各反射面６，７は、表示画面の額縁５近傍の反射対象領域３２から矢符Ａ１で示すように放射される光を矢符Ａ２で示すように反射するため、額縁５は正面から表示画面を視認する看者には認識されず、実質的に額縁５を隠蔽し、マルチディスプレイ装置１全体としての表示画像の額縁５による表示品位の低下を防止することができる。
【００６７】
図６に示すようなマルチディスプレイ装置１の周縁部の額縁５に設けられる反射部材８ａは、本発明の他の実施形態においては、表示上の支障がない場合には、省略されてもよい。
【００６８】
図７は液晶パネル２からの出射光の反射パターンを示す図であり、図７（１）は本実施形態の反射部材８による反射パターンを示す図であり、図７（２）は比較例として反射部材の反射面が傾斜した平面である場合の反射パターンを示す図である。本実施形態の反射部材８による場合、図７（１）に示すように、液晶パネル２の額縁５に近い部分からの出射光をも反射させることができ、これによって、液晶パネル２からの出射光による画像と、反射面６，７からの反射光による画像との違和感をより少なくすることができる。さらに、隣接する液晶パネル２からの出射光による画像の連続的視認性も改良される。これに比べて、図７（２）に示す比較例では、液晶パネル２の額縁５に近い部分からの出射光の反射が充分に成されないため、前記のような違和感や、連続的視認性の点において不充分さがある。
【００６９】
なお、額縁５上においては、反転された映像、すなわちマルチディスプレイ装置１に表示される映像に対して、反射部２４の長手方向が上下になるように取付けた場合は左右反転像、反射部２４の長手方向が左右になるように取付けた場合は上下反転像が表示される。各液晶パネル２の大形画面化および狭額縁化によって、額縁５のサイズは、各液晶パネル２の画面全体のサイズに比較して非常に微細な範囲であるため、反転されていても目立たない。また、文字などの細かい表示の場合、額縁線上にかからないよう、すなわち額縁５が反射面６，７に移り込まないように配置することによって、反転表示を防止することが可能である。しかも、本実施形態では、山形形状の反射部２４の裾部に、反射面６，７の一部を成す湾曲部分６ａ，７ａが形成され、これによって、前述のとおり液晶パネル２の額縁５に近い部分からの出射光の反射が充分に成されるから、文字などの細かい表示を反射面６，７に移り込まないように配置することがより容易となる。
【００７０】
図８はマルチディスプレイ装置１の表示状態を示す正面図であり、図８（１）は額縁５に反射部材８が設けられていないときの画面の表示状態を示し、図８（２）は額縁５に反射部材８を設けたときの画面の表示状態を示す図である。前述のマルチディスプレイ装置１は、図８（２）から明らかなように、反射部材８が額縁５に設けられることによって、互いに隣接する各液晶パネル２間および各液晶パネル２の外周部に配置される各額縁５が、図８（１）のような額縁線が認識されることを防ぎ、表示品位の高い画像を実現することができる。
【００７１】
図９は本発明の他の実施形態の反射部材８ｂを具備するマルチディスプレイ装置１ａを示す一部の断面図である。なお、前述の各実施形態と対応する部分には同一の参照符を付す。本実施形態では、反射部材８ｂは、隣接する各額縁５に沿って延びる２つの表面に前記と同様の反射面６，７が形成される山形柱状の反射部２４のみから成り、すなわち、前記のような挟持部２５を有さず、かつ隣接する各額縁５に両面粘着テープ３１ｂによって固着される。このような構成によって、反射部材８ｂを容易に各額縁５へ高い強度で取付けることができる。
【００７２】
図１０は本発明のさらに他の実施形態の反射部材８ｃを具備するマルチディスプレイ装置１ｂを示す一部の断面図である。なお、前述の各実施形態と対応する部分には同一の参照符を付す。本実施形態では、反射部材８ｃは、隣接する各額縁５に沿って延びる２つの表面に前記と同様の反射面６，７が形成される山形柱状の反射部２４のみから成り、すなわち、前記のような挟持部２５を有さず、隣接する各額縁５の一方に両面粘着テープ３１ｃによって固着され、かつ各非表示部の他方に帯状にスペーサである合成樹脂製のシート体３１ｄを介して乗載されるので、各非表示部の近接／離反する方向に相対変位しても、反射部材８ｃは一方の額縁５に両面粘着テープ３１ｃによって固着され、かつ他方の額縁５にシート体３１ｄを介して乗載されるので、反射部材８ｃが固着されている側の額縁５に追従して移動し、他方の額縁５に固着されたシート体３１ｄ上を摺動することができ、前記相対変位を許容することができる。一方の非表示部は他方の非表示部よりも幅が大きいので、反射部材８ｃを前記一方の非表示部に対して高い強度で接合することができる。
【００７３】
図１１は本発明のさらに他の実施形態の反射部材８ｄを具備するマルチディスプレイ装置１ｃを示す一部の断面図である。なお、前述の各実施形態と対応する部分には同一の参照符を付す。本実施形態では、反射部材８ｄが前述の額縁５および枠体１２を兼ねた構造体として一体に形成される。これによってもまた、前述の各実施形態と同様に額縁５が線として認識されることを抑制し、または防止することができるとともに、額縁５と反射部材８ｄとを一体成形によって同時に製造することができ、製造コストの削減を図ることができる。
【００７４】
図１２は本発明のマルチディスプレイ装置１の全体斜視図と、本マルチディスプレイ装置１における反射部材８の交差部Ａの一部を拡大して示す斜視図であり、図１３は図１２の交差部Ａの拡大平面図である。図１４は図１３に示す反射部材８の交差部Ａ側に配置される端部８１の構造を示す図であり、図１４（１）は反射部材８の端部８１の平面図であり、図１４（２）は反射部材８の端部８１の側面図であり、図１４（３）は反射部材８の端部８１を図１４（２）の右側から見た正面図である。なお、本実施形態の反射部材８の端部８１の構成は、前述の各実施形態の反射部材８，８ａ〜８ｄの全てに適用可能であるため、反射部材８について説明し、残余の反射部材８ａ〜８ｄについては重複を避けて説明は省略する。
【００７５】
複数（図１２では１６）の液晶パネル２が各画像表示面にて共通な一平面を成すようにマトリクス状に配置されたマルチディスプレイ装置１において、前記反射部材８は各額縁５上に前述のように搭載され、複数の交差部Ａを有する。各交差部Ａでは、各反射部材８の端部８１が隙間なく接触した状態とするため、交差部Ａにおける各画像表示面を含む共通な仮想一表面に垂直な中心軸線Ｌに関して軸対称または中心軸線Ｌを含む仮想一平面に関して面対称に、略三角錐状に形成される。
【００７６】
図１５〜図２０は第２の本発明に係るマルチディスプレイ装置１００を示し、図１５はマルチディスプレイ装置１００の一実施形態における反射部材５０が隣接する２つの額縁５に設置された状態を示す一部の斜視図であり、図１６は図５に示す反射部材５０における反射面５１および非反射面５２の額縁５に対する傾斜角度を示す断面図であり、図１７は本実施形態のマルチディスプレイ装置１００の表示状態を示す正面図の一部である。図１７（１）は額縁５に反射部材５０が設けられているときの画面の表示状態を示し、図１７（２）は比較例として額縁５に３つの角が全て鋭角の三角柱状の反射部材５００を設けたときの画面の表示状態を示す図である。また、図１８は本実施形態の第１の変形例の反射部材５０ａを示す一部の拡大斜視図であり、図１９は本実施形態の第２の変形例の反射部材５０ｂを示す一部の拡大斜視図である。図２０は第２の変形例の反射部材５０ｂを用いたマルチディスプレイ装置１００ａの全体斜視図と、各部位における反射部材５０ｂの設置態様を示す図である。
【００７７】
図１５および図１６において、反射部材５０を除くマルチディスプレイ装置１００の構成部材は、図５に示す例と同様であるので対応する部分には同一の参照符を付す。本実施形態の反射部材５０は、非表示部としての額縁５を覆い、かつ、この額縁５に対して斜めに配される１個の平面状の反射面５１を含む。そして、この反射部材５０は、たとえばアクリル樹脂から成り、前記平面状の反射面５１が形成される反射部５３と、各液晶パネル２の互いに隣接する額縁５の各外周部１６によって挟持される挟持部５４とを有する。本実施形態の反射部５３は、底角が鋭角と鈍角の三角形状の柱状体から成り、鋭角側の斜面が反射面５１とされ、鈍角側の斜面が非反射面５２とされる。反射面５１に対して、前記と同様に、アルミニウム合金等の金属薄膜をたとえば蒸着によって形成し、この金属薄膜を白鏡面仕上げ、鏡加工、メッキ処理などの各種の処理を行うことによって鏡面に加工されて形成される。本実施形態では、挟持部５４は反射部５３とともに樹脂の一体成型によって形成されている。
【００７８】
本実施形態において、反射面５１の額縁５における平板状部分１５に対する傾斜角度αは、４５°＜α＜９０°、非反射面５２の平板状部分１５に対する傾斜角度βは、４５°＜α≦９０°でかつα＜βになるよう設定される。これによって、反射部２４の底部の幅寸法を隣接する額縁５の両平板状部分１５の両端部間寸法に整合するよう設定すれば、平面視において隣接する額縁５が反射面５１によって完全に覆われることになる。そして、図１５に示すように、反射面５１の傾斜立ち上がり基部５１ａ側の液晶パネル２における反射対象領域３２から矢符Ａ１で示すように放射される光を、反射面５１によって矢符Ａ２で示すように反射するため、額縁５は正面から表示画面を視認する看者には認識されず、実質的に額縁５を隠蔽し、マルチディスプレイ装置１全体としての表示画像の額縁５による表示品位の低下を防止することができる。
【００７９】
図１７（１）は、図１５および図１６に示すように額縁５に反射部材５０が設けられているときの画面の表示状態を平面的に示しており、前記反射対象領域３２からの放射光が平面状の反射面５１の全面から反射されるから、この反射光画像には、反射対象領域３２からの放射光画像以外の筋などが視認されない。これに対して図１７（２）に示すように、断面形状が三角形の反射部材５００（たとえば、前記先願に開示された反射部材）を用いると、その反射光画像の中央部に三角形の頂部に対応する線５００ａが視認される。
【００８０】
図１８は、本実施形態の第１の変形例の反射部材５０ａを示す一部の拡大斜視図である。この例では、反射部５３が平板状部材から成り、この平板状の反射部５３が挟持部５４に対して所定の傾斜角度となるよう一体に固定されている。そして、反射部５３の挟持部５４による固定部とは反対側の傾斜面が反射面５１とされている。
【００８１】
また、図１９は、第２の変形例の反射部材５０ｂを示す一部の拡大斜視図である。この例では、反射部５３が第１の変形例と同様に平板状部材から成るが、反射部５３は断面形状が直状（Ｉ字状）の挟持部５５に対して、該挟持部５５の上端に反射部材５０ｂの長手方向に沿って固着された支持軸５６の軸線５６ａ回りに回動可能に連結され、反射面５１の前記額縁５に対する傾斜角度α（図１６参照）が調整可能とされている。そして、挟持部５５がＩ字状に形成されることによって、マルチディスプレイを設置した後から、各液晶パネル２の互いに隣接する額縁５の各外周部１６の間に挿入し、取付けることができるとともに、額縁５からの反射部材５０ｂの突出高さを調整することができる。反射部５３の下面には、前記支持軸５６に同心的に嵌合する断面扇形（扇角が１８０°以上）の開環状の嵌合部材５７が固着されている。嵌合部材５７の内径は、支持軸５６の外径よりやや小とされ、嵌合部材５７は支持軸５６に対してフリクションを持って嵌合されている。したがって、反射部材５０ｂは、嵌合部材５７の支持軸５６に対する嵌合によって、支持軸５６の軸線５６ａ回りに回動可能に支持されるとともに、任意の回動位置に保持され、反射面５１の傾斜角度αの任意設定が可能とされている。
【００８２】
図２０は、第２の変形例の反射部材５０ｂを用いたマルチディスプレイ装置１００ａの模式的全体斜視図と、各部位における反射部材５０ｂの設置態様を側面して示す模式図である。このマルチディスプレイ装置１００ａは、５×５（＝２５）枚の液晶パネル２をマトリックス状に並べて構成されている。マルチディスプレイ装置１００ａの周縁部分には、額縁（図示せず）のみで反射部材５０ｂは設けられていない。そして、隣接する各額縁５間には反射部材５０ｂが設けられるが、縦方向（上下方向）には、縦方向全長に亘り連続する反射部材５０ｂが各１本ずつ計４本設けられ、横方向（左右方向）には、隣接する液晶パネル２毎に反射部材５０ｂが計２０本設けられている。左右方向に並ぶ縦向きの４本の反射部材５０ｂ（１）〜５０ｂ（４）のうち、左右両端の反射部材５０ｂ（１），５０ｂ（４）は、反射面５１が互いに向き合うとともに、反射面５１の傾斜角度が大きく設定され、かつ、額縁５からの突出位置が高くなるよう挟持部５５が隣接する額縁５間に挟持されている。また、中間部の反射部材５０ｂ（２），５０ｂ（３）は、反射面５１が互いに向き合うとともに、反射部材５０ｂ（１），５０ｂ（４）より反射面５１の傾斜角度が小さく設定され、かつ、額縁５からの突出位置が低くなるよう挟持部５５が隣接する額縁５間に挟持されている。さらに、上下方向に並ぶ横向きの反射部材５０ｂ（５）〜５０ｂ（８）は、いずれも反射面５１が下方に向けられ、上端の反射部材５０ｂ（５）から下端の反射部材５０ｂ（８）にかけて、反射面５１の傾斜角度が徐々に小さくなるよう設定され、かつ、額縁５からの突出位置が徐々に低くなるよう挟持部５５が隣接する額縁５間に挟持されている。
【００８３】
なお、横向きの反射部材５０ｂ（５）〜５０ｂ（８）においては、各列の横方向に並ぶ各５本の反射部材５０ｂは、それぞれ同様の設置態様とされる。
【００８４】
図２０に示すような大画面のマルチディスプレイ装置１００ａの場合、看者はマルチディスプレイ装置１００ａの中央の少し離れた位置からやや見上げるように位置することが想定される。したがって、前記のような態様で各反射部材５０ｂを設置することによって、反射部材５０ｂによる表示画面からの反射光が看者の視点に集まりやすくなり、額縁５が露呈して表示品位が低下することを可及的に少なくすることができる。
【００８５】
図２１は、第３の本発明に係るマルチディスプレイ装置２００の一実施形態における反射部材６０が隣接する２つの額縁５に設置された状態を示す一部の斜視図である。また、図２２は図２１に示す反射部材６０による液晶パネル２からの出射光の反射パターンを示す図である。図２１において、反射部材６０を除くマルチディスプレイ装置２００の構成部材は、図５に示す例と同様であるので対応する部分には同一の参照符を付す。本実施形態の反射部材６０は、断面形状が三角形の柱状部材から成り、２つの斜面による反射面６１，６２を有する反射部６３と、この反射部６３に連なり、隣接する額縁５の各外周部１６に挟持される挟持部６４とを含む。前記反射面６１は、粗面化処理部６５を含む。図２１の拡大部は、粗面化処理部６５を誇張して示す拡大断面図である。粗面化処理部６５は、反射面６１の全面に亘り形成してもよいが、本実施形態では、額縁５から離れるに従って粗面化度合いが大きくなるよう形成されている。粗面化処理部６５は、ショットブラスト、エッチング処理、その他の公知の処理法によって形成される。
【００８６】
このような反射部材６０が設けられたマルチディスプレイ装置２００においては、液晶パネル２の反射対象領域３２から矢符Ａ１で示すように放射される光は、反射部材６０の反射面６１によって反射される。このとき、反射面６１には粗面化処理部６５が形成されているから、この粗面化処理部６５によって図２１の矢符Ａ２，Ａ３、および図２２の反射光で示すように乱反射する。この乱反射によって、反射映像をぼやかすことができる。本実施形態では、粗面化処理部６５が、額縁５から離れるに従って粗面化度合いが大きくなるよう形成されているから、隣接する液晶パネル２からの反射映像が違和感なく視覚される。特に、反射部分で反転することにより、その部分が目立ち、見づらくなるような映像が多用される場合には、額縁５から離れるに従ってぼやけた映像を表示させることは、スムーズな表示に有効である。
【００８７】
なお、第３の本発明に係る粗面化処理部を、第１および第２の本発明に係る反射部材８、５０にも適用することは可能である。これによって、第１および第２の本発明と、第３の本発明との複合した効果が得られる。また、第１および第３の本発明においても、看者の視点Ｂが最も集まりやすい位置を想定して反射方向を設定した反射部材を実装してマルチディスプレイ装置を構成することによって、それぞれの反射部材が表示画面からの光を反射し、額縁５が露呈して表示品位が低下することを可及的に少なくすることができる。また、図９〜図１１に示す実施形態を第２の本発明あるいは第３の本発明に適用することも可能である。
【符号の説明】
【００８８】
１，１ａ，１ｂ，１ｃ，１００，１００ａ，２００  マルチディスプレイ装置
２  液晶パネル
３  シャーシ
４  筐体
５  額縁
６，７，５１，６１  反射面
６ａ，７ａ  湾曲部分
８，８ｂ，８ｃ，８ｄ，５０，５０ａ，５０ｂ，６０  反射部材
２４，５４，５５，６４  挟持部
１５  平板状部分
１６  外周部
５６ａ  軸線
６５  粗面化処理部
Ｚ１  前面側
Ｚ２  背面側
α  傾斜角度
【図１】
0005722004.tif 000002
【図２】
0005722004.tif 000003
【図３】
0005722004.tif 000004
【図４】
0005722004.tif 000005
【図５】
0005722004.tif 000006
【図６】
0005722004.tif 000007
【図７】
0005722004.tif 000008
【図８】
0005722004.tif 000009
【図９】
0005722004.tif 000010
【図１０】
0005722004.tif 000011
【図１１】
0005722004.tif 000012
【図１２】
0005722004.tif 000013
【図１３】
0005722004.tif 000014
【図１４】
0005722004.tif 000015
【図１５】
0005722004.tif 000016
【図１６】
0005722004.tif 000017
【図１７】
0005722004.tif 000018
【図１８】
0005722004.tif 000019
【図１９】
0005722004.tif 000020
【図２０】
0005722004.tif 000021
【図２１】
0005722004.tif 000022
【図２２】
0005722004.tif 000023